(57)【特許請求の範囲】
【請求項１】
遊技盤の前面に遊技球が流下する遊技領域が設けられているとともに、前記遊技盤に、遊技球が入賞可能な入賞口を備えた入賞部材が設置されてなる遊技機であって、
前記入賞部材が、前記遊技領域内に露出する装飾部を有する装飾部材と、前記装飾部材の後面に組み付けられ、前記入賞口へ入賞した遊技球を前記遊技盤の後側へ導く通路部材とを有するとともに、前記装飾部材と前記通路部材との少なくとも何れか一方に、前記入賞口へ入賞した遊技球を検知するための遊技球検知手段を保持する保持部が設けられており、
前記装飾部材と前記通路部材とを一体化すると、前記遊技球検知手段が、前記通路部材により後側から覆われた状態で前記保持部に保持されるとともに、前記装飾部材と前記通路部材とが、ワンウェイネジにより一体化されていることを特徴とする遊技機。
【請求項２】
前記通路部材に、前記遊技球が通過可能な遊技球通路が前後方向へ延設されており、
前記遊技球通路の下流端が、前記入賞部材を前記遊技盤に設置した際、前記遊技盤の後面よりも後方まで突出していることを特徴とする請求項１に記載の遊技機。
【発明の詳細な説明】
【技術分野】
【０００１】
本発明は、たとえばパチンコ機等といった遊技機に関するものである。
【背景技術】
【０００２】
従来、たとえば遊技機の一例であるパチンコ機には、遊技球の入賞等を検知するための遊技球検知センサが取り付けられている。そして、そのような遊技球検知センサに対し、棒状や板状の不正な道具を干渉させ、遊技球検知センサを誤動作させる不正行為が従来問題になっている。そこで、たとえば特許文献１に記載のパチンコ機では、遊技球検知センサが取り付けられる排出路ユニットを所定の設置部材へ固定した際、遊技球検知センサの後側が設置部材により覆われるように構成することで、遊技球検知センサへの不正な道具の干渉を防止しようとしている。
【先行技術文献】
【特許文献】
【０００３】
【特許文献１】特開２０１５−２９７３０号公報
【発明の概要】
【発明が解決しようとする課題】
【０００４】
しかしながら、特許文献１に記載のパチンコ機では、遊技球検知センサの後側を覆ってはいるものの、遊技球検知センサの後方を覆う設置部材と排出路ユニットとは、ただ単にネジ止めされているにすぎない。したがって、ネジを取り外し、遊技球検知センサを別の不正な遊技球検知センサへ取り換える等の不正行為が依然として問題となっている。
【０００５】
そこで、本発明は、上記問題に鑑みなされたものであって、不正な遊技球検知手段への交換といった不正行為を効果的に防止することができる遊技機を提供しようとするものである。
【課題を解決するための手段】
【０００６】
上記目的を達成するために、本発明のうち請求項１に記載の発明は、遊技盤の前面に遊技球が流下する遊技領域が設けられているとともに、前記遊技盤に、遊技球が入賞可能な入賞口を備えた入賞部材が設置されてなる遊技機であって、前記入賞部材が、前記遊技領域内に露出する装飾部を有する装飾部材と、前記装飾部材の後面に組み付けられ、前記入賞口へ入賞した遊技球を前記遊技盤の後側へ導く通路部材とを有するとともに、前記装飾部材と前記通路部材との少なくとも何れか一方に、前記入賞口へ入賞した遊技球を検知するための遊技球検知手段を保持する保持部が設けられており、前記装飾部材と前記通路部材とを一体化すると、前記遊技球検知手段が、前記通路部材により後側から覆われた状態で前記保持部に保持されるとともに、前記装飾部材と前記通路部材とが、ワンウェイネジにより一体化されていることを特徴とする。
請求項２に記載の発明は、請求項１に記載の発明において、前記通路部材に、前記遊技球が通過可能な遊技球通路が前後方向へ延設されており、前記遊技球通路の下流端が、前記入賞部材を前記遊技盤に設置した際、前記遊技盤の後面よりも後方まで突出していることを特徴とする。
【発明の効果】
【０００７】
本発明によれば、装飾部材と通路部材とを一体化することにより、遊技球検知手段を、通路部材により後側から覆われた状態とするとともに、装飾部材と通路部材とを、ワンウェイネジにより一体化している。したがって、遊技球検知手段への干渉が非常に困難であり、遊技球検知手段を不法な検知手段と交換する等といった不正行為を効果的に防止することができる。
また、請求項２に記載の発明によれば、通路部材に、遊技球が通過可能な遊技球通路を前後方向へ延設し、遊技球通路の下流端を、入賞部材を遊技盤に設置した際、遊技盤の後面よりも後方まで突出させている。したがって、遊技盤の後面に沿って侵入させてきたシート状の不正具で遊技球通路の下流端を塞ぎ、遊技球通路を通過してきた遊技球を押し戻す等して遊技球検知手段に複数回検知させるといった不正行為を効果的に防止することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】センター部材を前側から示した説明図である。
【図５】センター部材の前フレーム体を前側から示した説明図である。
【図６】前フレーム体を後側から示した斜視説明図である。
【図７】分解状態にある前フレーム体を後側から示した斜視説明図である。
【図８】センター部材の始動入賞口近傍を拡大して示した説明図である。
【図９】図８中のＡ−Ａ線断面を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の中央上部には、「０」〜「９」の数字からなる装飾図柄やキャラクター等を表示するための演出用表示部６が設けられている。さらに、演出用表示部６の下方には、電動役物や進入口３５、遊技球振分部３６、及び始動入賞口１９等を備えたセンター部材２６が遊技盤２に設置されている。また、センター部材２６の右側には、遊技球が通過可能なゲート部材２０、開閉動作する一対の翼片を有して所謂チューリップ式電動役物として構成された第１アタッカー１８Ａ、同じくチューリップ式電動役物として構成された第２アタッカー１８Ｂ、及び同じく所謂チューリップ式電動役物として構成された始動入賞装置１７が設置されている。なお、遊技領域１６内には、多数の遊技釘が植設されている。また、遊技領域１６外となる遊技盤２の右下部には、第１特別図柄と第２特別図柄とを夫々別個に表示可能とした特別図柄表示部８３が設けられている。
【００１２】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１４】
以上のようなパチンコ機１では、遊技者はハンドル９を回動操作して発射装置１０を作動させ、発射通路１３を介して遊技球を遊技領域１６内へ打ち込み、まずはセンター部材２６の進入口３５への遊技球の進入を狙う。そして、センター部材２６内へ進入した遊技球が始動入賞口１９へ到達すると、始動入賞口１９への遊技球の入賞検知に起因して所謂大当たり抽選が実行され、その結果が「大当たり」になると特別図柄表示部８３及び演出用表示部６に夫々所定の「大当たり図柄」が確定表示される（たとえば、演出用表示部６に「７、７、７」と確定表示される）。そうなると、第１アタッカー１８Ａ及び第２アタッカー１８Ｂが交互に所定回数ずつ断続的に開成するといった所謂大当たり状態が生起する。そこで、遊技者はハンドル９を回動操作して遊技領域１６への遊技球の打ち込み強度を強くして、センター部材２６の右側へと遊技球を打ち込み、断続的に開成する第１アタッカー１８Ａ及び第２アタッカー１８Ｂへの入賞を狙う。なお、始動入賞口１９へ遊技球が入賞した場合、特別図柄表示部８３では第１特別図柄が変動／確定表示される。
【００１５】
また、大当たり状態が終了すると、次回大当たり状態が生起するまで大当たり抽選の結果が「大当たり」となる確率が向上するとともに、始動入賞装置１７が頻繁に開放可能となる高確率状態が生起する。そこで、遊技者は、センター部材２６の右側への打ち込みを継続し、ゲート部材２０への通過、及びそれに伴い頻繁に開状態となる始動入賞装置１７への遊技球の入賞を狙う。そして、始動入賞装置１７へ遊技球が入賞すると、上記始動入賞口１９へ遊技球が入賞した場合と同じく大当たり抽選が実行され、該大当たり抽選の結果が「大当たり」になると、特別図柄表示部８３及び演出用表示部６に夫々所定の「大当たり図柄」が確定表示され、再び第１アタッカー１８Ａ及び第２アタッカー１８Ｂが交互に所定回数ずつ断続的に開成する大当たり状態が生起するため、遊技者は、断続的に開成する第１アタッカー１８Ａ及び第２アタッカー１８Ｂへの入賞を再び狙う。なお、始動入賞装置１７へ遊技球が入賞した場合、特別図柄表示部８３では第２特別図柄が変動／確定表示される。
そして、高確率状態が所定回数（たとえば１５回）生起すると、その後の大当たり状態の終了をもって高確率状態ではなく通常状態へ移行するため、遊技者は、ハンドル９を回動操作して遊技球の打ち込み強度を弱め、進入口３５への遊技球の進入を狙う上記遊技へと戻ることになる。
【００１６】
（センター部材における遊技球検知手段の取り付けに係る構造の説明）
ここで、本発明の要部となるセンター部材２６における遊技球検知センサ４１の取り付けに係る構造について、図４〜図９にもとづき詳細に説明する。
図４は、センター部材２６を前側から示した説明図である。図５は、センター部材２６の前フレーム体３１を前側から示した説明図である。図６は、前フレーム体３１を後側から示した斜視説明図である。図７は、分解状態にある前フレーム体３１を後側から示した斜視説明図である。図８は、センター部材２６の始動入賞口１９近傍を拡大して示した説明図である。図９は、図８中のＡ−Ａ線断面を示した説明図である。
【００１７】
センター部材２６は、前側フレーム体３１と、遊技球振分部３６及び電動役物等を備えており、前側フレーム体３１に対して後側から組み付けられる本体３２とを有してなる。前側フレーム体３１は、中央に大開口を有する環状に形成されており、その上辺部には、本体３２へ遊技球を進入させるための進入口３５、及び進入口３５へ進入した遊技球を本体３２側へ導く遊技球進入路３７を有する上側通路部３３が設けられている。一方、前側フレーム体３１の下辺部には、始動入賞口１９へ入賞した遊技球や入賞しなかった遊技球を遊技盤２の後側へ導いたり、遊技領域１６内へ排出したりする下側通路部３４が設けられている。この下側通路部３４は、前側フレーム体３１の下辺部の前面側を構成する装飾部材３８と、装飾部材３８の後面にネジ止めされる通路部材３９と、通路部材３９に後方からネジ止めされるカバー部材４０とを有している。
【００１８】
装飾部３８の前面部は、センター部材２６の遊技盤２への設置時に遊技領域１６内へ露出する装飾板（装飾部）として形成されている。そして、該前面部の後面には、左右方向へ所定の間隔を空けて一対の舌片が後方へ突設されており、舌片間が始動入賞口１９とされている。また、始動入賞口１９の左右両側には、遊技球が入賞可能な入賞口６１、及び始動入賞口１９と入賞口６１とのどちらにも入賞しなかった遊技球を下方へ排出し、遊技領域内１６内へ戻す排出口６２が夫々設けられている。また、始動入賞口１９や入賞口６１、６１、排出口６２、６２の後側を覆うように板状の仕切部が形成されており、当該仕切部に、始動入賞口１９への遊技球の入賞を検知するための遊技球検知センサ４１を保持するためのセンサ保持部４２が設けられている。該センサ保持部４２は、仕切部を前後へ貫通する筒状部として形成されており、遊技球検知センサ４１の検知部側を仕切部よりも前側へ突出させ、始動入賞口１９の下方へ臨ませる姿勢で遊技球検知センサ４１を保持可能となっている。また、センサ保持部４２の下側には、前後方向へ延びる通路状に形成され、始動入賞口１９へ入賞して遊技球検知センサ４１により検知された遊技球を、遊技盤２の後側へ排出するための導球路４６が設けられている。さらに、仕切部のセンサ保持部４２の左右両側には、入賞口６１へ入賞した遊技球を遊技盤２の後側へ排出するための導球孔４３が夫々穿設されているとともに、その後面側には、導球孔４３を通過する遊技球を検知するための検知センサ４４が夫々設置されている。加えて、検知センサ４４、４４の更に左右両外側には、通路部材３９をネジ止めするためのボス４５が夫々後方へ突設されている。なお、５６は、導球路４６の前側に設けられ、始動入賞口１９に連通して始動入賞口１９へ入賞した遊技球を導球路４２へ導くための入賞路である。
【００１９】
通路部材３９は、前後方向へ延びる筒状の遊技球通路４７、４７・・を左右方向に３つ並べて有するものであって、中央の遊技球通路４７は、その前端で導球路４６に連通し、始動入賞口１９へ入賞した遊技球を遊技盤２の後側へ導くようになっている。また、左右両側の遊技球通路４７は、その前端で夫々導球孔４３に連通し、入賞口６１へ入賞した遊技球を導くようになっている。そして、３つの遊技球通路４７、４７・・の後端には、３つの遊技球通路４７を連結し、遊技球通路４７、４７・・を通過してきた遊技球を集合させて回収するための集合路４８が設けられている。また、中央の遊技球通路４７の上側には、前方へ突出しており、センサ保持部４２に保持された遊技球検知センサ４１の後面に当接して、遊技球検知センサ４１を当該保持状態で維持するセンサ保持片４９が設けられている。さらに、通路部材３９の左右両側面には、自身を装飾部材３８の後面にネジ止めするためのネジ孔部５０と、カバー部材４０をネジ止めするための固定部５１とが夫々設けられている。
【００２０】
カバー部材４０は、集合路４８の後面を閉塞するように組み付けられる板状に形成されてなる。また、カバー部材４０を通路部材３９にネジ止めした際に、集合路４８における合流部（３つの遊技球通路４７、４７・・が合流する箇所）の後側に位置する部位は、後側へ凹まされて後方へ膨出しており、当該膨出部の前面側の空間が、集合路４８に連通し、集合路４８から排出される遊技球を下方へ流下させる遊技球流路５２となっている。さらに、集合路４８と遊技球流路５２との間には、弁部材５３が、左右方向を軸として揺動自在に取り付けられている。該弁部材５３は、通常、略垂直に垂れ下がって集合路４８と遊技球流路５２とを隔てている。そして、集合路４８を遊技球が流れてくると、当該遊技球に押し上げられるような格好で後側へ揺動し（図９に示す）、遊技球を遊技球流路５２へ通過させるようになっている。加えて、カバー部材４０の左右両端部には、自身を通路部材３９にネジ止めするためのネジ止め部５４が夫々設けられている。
【００２１】
以上のような構成を有する下側通路部３４は、以下のようにして組み立てられる。
まず、遊技球検知センサ４１の検知部が始動入賞口１９の下方に臨むような姿勢で、遊技球検知センサ４１を装飾部材３８のセンサ保持部４２に保持させる。次に、センサ保持片４９を遊技球検知センサ４１の後面に当接させるとともに、遊技球通路４７、４７・・と導球路４６及び導球孔４２、４２とを連通させつつ、装飾部材３８の後面に通路部材３９をネジ止めする。このとき、ネジとしてワンウェイネジ５５、５５を使用することにより、装飾部材３８と通路部材３９とをカシメた状態とする。最後に、カバー部材４０を通路部材３９へネジ止めすれば、下側通路部３４の組み立ては完了となる。
【００２２】
上記組み立て状態において、遊技球検知センサ４１の前面は、装飾部材３８の前面部の後面に当接しており、装飾部材３８の前面部で覆われている。また、遊技球検知センサ４１の反検知部側の周面（上面、下面、及び左右両側面）は、センサ保持部４２によって覆われている。さらに、遊技球検知センサ４１の後面は、センサ保持片４９の先端に当接しており、該センサ保持片４９によって覆われている。加えて、始動入賞口１９から遊技球検知センサ４１を介して遊技盤２の後側へ一連に延びる遊技球の通路の下流端、すなわち集合路４８の下流端は、通路部材３９を設けたことで、遊技盤２の後面よりも後方へ突出しており、更にその突出位置に弁部材５３が設けられた状態となっている。なお、ワンウェイネジ５５は、ネジ孔部５０の後面側に設けられた凹部内へ埋入しており、ワンウェイネジ５５のネジ頭の周面はネジ孔部５０の凹部の内面により覆われている。
【００２３】
（本実施形態のパチンコ機による効果）
以上のような構成を有するパチンコ機１によれば、センサ保持部４２に保持される遊技球検知センサ４１を、通路部材３９の装飾部材３８へのネジ止めによって、装飾部材３８と通路部材３９とで前後から覆った状態でセンサ保持部４２に保持させている。また、通路部材３９の装飾部材３８へのネジ止めに係り、ワンウェイネジ５５、５５を使用している。したがって、遊技球検知センサ４１への干渉が非常に困難であり、遊技球検知センサを不法な検知センサと交換する等といった不正行為を効果的に防止することができる。
【００２４】
また、シート状の不正具で集合路４８の下流端を塞ぎ、遊技球通路４７を通過してきた遊技球を押し戻す等して遊技球検知センサ４１に複数回検知させるといった不正行為があり、そのような不正行為を働くにあたっては、不正具を遊技盤２の下方から遊技盤２の後面に沿って侵入させることが多かった。しかしながら、上記パチンコ機１によれば、前後方向へ延びる遊技球通路４７、４７・・を有する通路部材３９を設けたことにより、集合路４８の下流端を、遊技盤２の後面よりも後方へ突出させている。さらに、その突出位置に弁部材５３を設けるとともに、集合路４８の下流端と弁部材５３とをカバー部材４０により覆っている。したがって、上述したような不正行為を効果的に防止することができる。
【００２５】
（本発明の変更例について）
なお、本発明の遊技機に係る構成は、上記実施形態に何ら限定されるものではなく、遊技機全体の構成は勿論、遊技球検知手段の取り付けに係る構成等についても、本発明の趣旨を逸脱しない範囲で必要に応じて適宜変更可能である。
【００２６】
たとえば、上記実施形態では、入賞部材をセンター部材としているが、電動役物や遊技球振分部等を有さない入賞部材に対しても、装飾部材と通路部材とで遊技球検知手段を前後から覆うとともに、装飾部材と通路部材とをワンウェイネジにより一体化する等といった本願構成を採用することは当然可能であり、入賞口の種類についても始動入賞口に何ら限定されることはない。
また、入賞部材の形状や構造等に応じて通路部材の形状や構造も適宜変更可能であり、少なくとも入賞口から延びる遊技球通路さえ備えていればよいし、弁部材やカバー部材の有無等についても適宜設計変更可能である。
【００２７】
さらに、入賞部材における遊技球検知手段を保持する姿勢についても上記実施形態の姿勢に何ら限定されることはなく、前後方向へ延びるような姿勢で保持するのではなく、他の遊技球検知センサ同様、装飾部材の後面に平行に貼り付けるような姿勢で遊技球検知手段を保持するようにしても何ら問題はない。なお、上記実施形態では、遊技球検知手段の前側を装飾部材の前面部（すなわち装飾部）で覆うとしているが、装飾部材の前面部以外の箇所、たとえば装飾部材の一部であって、遊技盤の後面に隠れるような箇所により遊技球検知手段の前側が覆われるように構成することも可能である。
さらにまた、上記実施形態では、装飾部材側に保持部としてセンサ保持部を、通路部材側にも保持部としてセンサ保持片を夫々設けているが、保持部は、装飾部材と通路部材との少なくとも何れか一方に設けられていればよく、たとえば通路部材に凹状の保持部を設けることも可能である。
【００２８】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、遊技盤、遊技領域、入賞口、入賞部材、装飾部材、通路部材、遊技球検知手段、保持部、ワンウェイネジ等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００２９】
１・・パチンコ機（遊技機）、２・・遊技盤、１６・・遊技領域、１９・・始動入賞口（入賞口）、２６・・センター部材（入賞部材）、３１・・前側フレーム体、３４・・下側通路部、３８・・装飾部材、３９・・通路部材、４０・・カバー部材（カバー部）、４１・・遊技球検知センサ（遊技球検知手段）、４２・・センサ保持部（保持部）、４６・・導球路、４７・・遊技球通路、４８・・集合路（遊技球通路）、４９・・センサ保持片（保持部）、５２・・遊技球流路、５３・・弁部材、５５・・ワンウェイネジ。
【図１】
0006471305.tif 000002
【図２】
0006471305.tif 000003
【図３】
0006471305.tif 000004
【図４】
0006471305.tif 000005
【図５】
0006471305.tif 000006
【図６】
0006471305.tif 000007
【図７】
0006471305.tif 000008
【図８】
0006471305.tif 000009
【図９】
0006471305.tif 000010